(57)【要約】【課題】パッドの下面が傾斜している場合においても、良好な切断性能が維持されるトリム機構を提供することを課題とする。【解決手段】パッド受け部２０は、トリム刃１６より上方位置にて横スリット２１と、この横スリット２１の両端から上へ切り込まれた左縦スリット２２及び右縦スリット２３とで、縦壁部１５から切り離され、上辺がフランジ部２５に繋がっている。【効果】パッド受け部は、上辺がフランジ部に繋がり、左右辺及び下辺はスリットにより縦壁部から離されている。パッド受け部が倒れても、その影響は縦壁部に及ばない。このような縦壁部にトリム刃が設けられているので、このトリム刃でワークを綺麗に切断することができる。すなわち、パッドの下面が傾斜している場合においても、良好な切断性能が維持されるトリム機構が提供される。【選択図】図２
2011036873.tif 000002
【特許請求の範囲】
【請求項１】
ワークを載せる下型と、この下型に対して相対的に移動する上型と、この上型に設けられているトリム刃、下型に載せたワークを押さえるパッド及びこのパッドの横移動を防止するパッド受け部と、を備え、前記下型に載せた前記ワークを前記パッドで押さえながら前記トリム刃で縁切りするトリム機構であって、
前記上型に、プレス機のスライドプレートに固定されるフランジ部と、このフランジ部から下方に延ばされ下端に前記トリム刃を支える縦壁部と、が備えられており、
前記パッド受け部は、前記トリム刃より上方位置にて横スリットとこの横スリットの両端から上へ切り込まれた左・右縦スリットとで、前記縦壁部から切り離され、上辺が前記フランジ部に繋がった形態で、前記上型に設けられていることを特徴とするトリム機構。
【請求項２】
前記パッド受け部の倒れを防止する補強リブが、前記パッド受け部の背面と前記フランジ部との間に渡されていることを特徴とする請求項１記載のトリム機構。
【発明の詳細な説明】
【技術分野】
【０００１】
本発明は、下型に載せたワークをパッドで押さえながらトリム刃で縁切りするトリム機構に関する。
【背景技術】
【０００２】
下型に載せたワークをパッドで押さえながらトリム刃で縁切りするトリム機構は各種の構造が知られている（例えば、特許文献１（図１）参照。）。
【０００３】
特許文献１の技術を次図で説明する。
図５は従来のトリム機構の基本構成を説明する図であり、下型１０１にワーク１０２を載せ、このワーク１０２をパッド１０３で押さえる。上型１０４を更に下げると、トリム刃１０５、１０５でワーク１０２の縁を切断することができる。
【０００４】
パッド１０３は、ワーク１０２の縁を押さえる役割を果たす。
ところで、パッド１０３の下面が傾斜面１０６であることは少なくない。パッド１０３が強く下方へ押さえると、傾斜面１０６により水平分力が発生し、この水平分力で縦壁部１０７が外へ膨らむ。結果、トリム刃１０５が下型１０１から所定値を超えて離れてしまい、切断に悪影響がでる。いわゆる、切れ味が悪くなり、切断面にも影響が出る。
【０００５】
そこで、パッドの下面が傾斜している場合においても、良好な切断性能が維持されるトリム機構が求められる。
【先行技術文献】
【特許文献】
【０００６】
【特許文献１】特開平７−２４６４３０号公報
【発明の概要】
【発明が解決しようとする課題】
【０００７】
本発明は、パッドの下面が傾斜している場合においても、良好な切断性能が維持されるトリム機構を提供することを課題とする。
【課題を解決するための手段】
【０００８】
請求項１に係る発明は、ワークを載せる下型と、この下型に対して相対的に移動する上型と、この上型に設けられているトリム刃、下型に載せたワークを押さえるパッド及びこのパッドの横移動を防止するパッド受け部と、を備え、前記下型に載せた前記ワークを前記パッドで押さえながら前記トリム刃で縁切りするトリム機構であって、
前記上型に、プレス機のスライドプレートに固定されるフランジ部と、このフランジ部から下方に延ばされ下端に前記トリム刃を支える縦壁部と、が備えられており、
前記パッド受け部は、前記トリム刃より上方位置にて横スリットとこの横スリットの両端から上へ切り込まれた左・右縦スリットとで、前記縦壁部から切り離され、上辺が前記フランジ部に繋がった形態で、前記上型に設けられていることを特徴とする。
【０００９】
請求項２に係る発明は、パッド受け部の倒れを防止する補強リブが、前記パッド受け部の背面と前記フランジ部との間に渡されていることを特徴とする。
【発明の効果】
【００１０】
請求項１に係る発明では、パッド受け部は、上辺がフランジ部に繋がり、左右辺及び下辺はスリットにより縦壁部から離されている。パッド受け部が倒れても、その影響は縦壁部に及ばない。このような縦壁部にトリム刃が設けられているので、このトリム刃でワークを綺麗に切断することができる。
すなわち、パッドの下面が傾斜している場合においても、良好な切断性能が維持されるトリム機構が提供される。
【００１１】
請求項２に係る発明では、横荷重を受けるパッド受け部は、補強リブでフランジ部に連結され、このフランジ部はプレス機側のスライドプレートに固定される。
横荷重は、補強リブ及びフランジ部を介してスライドプレートに伝達されるが、スライドプレートは高剛性部材であるため、撓みにくい。そのため、パッド受け部の倒れ（撓み）は、抑制され、パッドの押し位置が安定する。
【図面の簡単な説明】
【００１２】
【図１】本発明に係るトリム機構の要部断面図である。
【図２】図１の２−２矢視図である。
【図３】図２の３−３線断面図である。
【図４】本発明に係るトリム機構の作用説明図である。
【図５】従来のトリム機構の基本構成を説明する図である。
【発明を実施するための形態】
【００１３】
本発明の実施の形態を添付図に基づいて以下に説明する。なお、図面は符号の向きに見るものとする。
【実施例】
【００１４】
本発明の実施例を図面に基づいて説明する。
図１に示されるように、トリム機構１０は、プレス機側のボルスタ１１に取付けられる下型１２と、プレス機側のスライドプレート１３に固定されるフランジ部２５を含み、このフランジ部２５でスライドプレート１３に取付けられ下型１２に対して相対的に移動する上型１４と、上型１４の縦壁部１５に設けられているトリム刃１６と、シリンダ１７を介して上型１４に設けられるパッド１８と、このパッド１８の横移動を防止するパッド受け部２０とを備えている。
【００１５】
縦壁部１５は、図２に示されように、横長矩形の壁であり、下縁にトリム刃１６が設けられ、このトリム刃１６より上方位置に、この例では４個のパッド受け部２０が設けられている。図から明らかなように、パッド受け部２０は、トリム刃１６より上方位置にて横スリット２１と、この横スリット２１の両端から上へ切り込まれた左縦スリット２２及び右縦スリット２３とで、縦壁部１５から切り離され、上辺が上型のフランジ部２５に繋がっている。
【００１６】
さらに、図３に示されるように、フランジ部２５は、プレス機側のスライドプレート１３に固定されている。そして、フランジ部２５より内側にパッド受け部２０が設けられており、パッド受け部２０の倒れを防止する補強リブ２６が、パッド受け部２０の背面２７とフランジ部２５との間に渡されている。なお、図３では、簡単のため、トリム刃は省略されている。
【００１７】
パッド受け部２０に加わる横荷重は、補強リブ２６及びフランジ部２５を介してスライドプレート１３に伝達されるが、スライドプレート１３は高剛性部材であるため、撓みにくい。そのため、パッド受け部２０の倒れ（撓み）は抑制され、問題となるほど大きくなる心配はない。
【００１８】
以上の述べたトリム機構の作用を次に述べる。
図４（ａ）において、パッド１８の下面が傾斜しているために、Ｆのような横荷重がパッド受け部２０に加わり、結果、パッド受け部２０と下型１２との隙間Ａは増大する。
【００１９】
一方、（ｂ）に示す縦壁部１５は、パッド受け部２０との間に左縦スリット２２２、右縦スリット２３、横スリット２１が設けられており、横荷重Ｆの影響を殆ど受けないため、トリム刃１６と下型１２との隙間は、所定の隙間Ｂとなる。
そのため、トリム刃１６でワーク２８の縁を綺麗に切断することができる。
【００２０】
ワーク２８は、車両の側板（サイドパネル）、ルーフパネル、ボンネットフードのような大形のワークが対象となるが、種類を格別に限定するものではない。
【産業上の利用可能性】
【００２１】
本発明は、サイドパネルのような大形のワークを処理するトリム機構に好適である。
【符号の説明】
【００２２】
１０…トリム機構、１１…ボルスタ、１２…下型、１３…スライドプレート、１４…上型、１５…縦壁部、１６…トリム刃、１８…パッド、２０…パッド受け部、２１…横スリット、２２…左縦スリット、２３…右縦スリット、２５…フランジ部、２６…補強リブ、２７…パッド受け部の背面、２８…ワーク。
【図１】
2011036873.tif 000003
【図２】
2011036873.tif 000004
【図３】
2011036873.tif 000005
【図４】
2011036873.tif 000006
【図５】
2011036873.tif 000007